(57)【要約】【課題】カメラモジュールの電磁遮蔽を確実に行う上で有利な撮像装置を提供する。【解決手段】撮像装置２０は、カメラモジュール２２と、カメラモジュール２２が装着されるソケット２４とを含んで構成されている。ソケット２４はソケット本体３６を備え、ソケット本体３６の４つの側壁３６０４は、それぞれ互いに向かい合う内面と、この内面と反対に位置する外面とを有し、電磁遮蔽性および弾性を有する材料で形成され各側壁３６０４に取着されて４つの側壁３６０４の外面を覆う複数のソケット用遮蔽板３８が設けられている。隣り合う各ソケット用遮蔽板３８の端部３８１０、３８１１は、ソケット本体３６の隣り合う側壁３６０４が交わる角部３６５０において重ねあわされそれら各ソケット用遮蔽板３８が有する弾性により互いに接触する方向に付勢されている。【選択図】図９
2008113059.tif 000002
【特許請求の範囲】
【請求項１】
矩形板状を呈し厚さ方向の一方の面に臨ませて撮影光学系が組み込まれたカメラ本体と、前記撮影光学系によって導かれた被写体像を撮像する撮像素子と、前記撮像素子から出力される撮像信号を入力して所定の信号処理を行なう信号処理部と、前記カメラ本体の厚さ方向の他方の面に取着された基板と、前記基板が前記カメラ本体と反対側に臨む面に形成され前記信号処理部に接続された複数の接片とを含んで構成されるカメラモジュールと、
前記カメラモジュールが装着されるソケットと、
を備える撮像装置であって、
前記ソケットは、絶縁性および弾性を有する材料で形成されその内側に前記カメラモジュールが収容される大きさの矩形状の底壁およびこの底壁の４辺から起立する４つの側壁とを有するソケット本体と、前記底壁に設けられ前記複数の接片に接続可能な複数の接続端子とを備え、
前記４つの側壁は、それぞれ互いに向かい合う内面と、この内面と反対に位置する外面とを有し、
電磁遮蔽性および弾性を有する材料で形成され前記各側壁に取着されて前記４つの側壁の外面を覆う複数のソケット用遮蔽板が設けられ、
隣り合う各ソケット用遮蔽板の端部は、前記ソケット本体の隣り合う側壁が交わる角部において重ねあわされそれら各ソケット用遮蔽板が有する弾性により互いに接触する方向に付勢されている、
ことを特徴とする撮像装置。
【請求項２】
前記角部に凹部が設けられ、
隣り合う各ソケット用遮蔽板の端部は、前記凹部内において重ねあわされ互いに接触する方向に付勢されている、
ことを特徴とする請求項１記載の撮像装置。
【請求項３】
前記隣り合う各ソケット用遮蔽板の端部は、前記側壁と同じ高さを有し、
隣り合う各ソケット用遮蔽板の端部は、それらの高さ方向の全長にわたって重ねあわされ互いに接触する方向に付勢されている、
ことを特徴とする請求項１記載の撮像装置。
【請求項４】
前記隣り合う各ソケット用遮蔽板の端部は、前記側壁と同じ高さを有し、
前記角部に、前記側壁の高さ方向の全長にわたって延在する凹部が設けられ、
隣り合う各ソケット用遮蔽板の端部は、前記凹部内においてそれらの高さ方向の全長にわたって重ねあわされ互いに接触する方向に付勢されている、
ことを特徴とする請求項１記載の撮像装置。
【請求項５】
前記ソケット用遮蔽板は、前記４つの側壁に対応して４つ設けられ、
隣り合う各ソケット用遮蔽板の端部は、前記４つの角部においてそれぞれ重ねあわされそれら各ソケット用遮蔽板が有する弾性により互いに接触する方向に付勢されている、
ことを特徴とする請求項１記載の撮像装置。
【請求項６】
前記ソケット用遮蔽板は、前記４つの側壁のうちの隣り合う２つの側壁を覆うように２つ設けられ、
隣り合う各ソケット用遮蔽板の端部は、前記２つの角部においてそれぞれ重ねあわされそれら各ソケット用遮蔽板が有する弾性により互いに接触する方向に付勢されている、
ことを特徴とする請求項１記載の撮像装置。
【請求項７】
隣り合う２つのソケット用遮蔽板のうちの一方のソケット用遮蔽板は、前記側壁に平行して配置され前記側壁を覆う本体板部と、前記本体板部の端部から直角に折り曲げられた第１当接板部とを有し、
隣り合う２つのソケット用遮蔽板のうちの他方のソケット用遮蔽板は、前記側壁に平行して配置され前記側壁を覆う本体板部と、前記本体板部の端部に屈曲部を介して連接され前記ソケット用遮蔽板の厚さ分前記側壁の内面方向に変位し前記本体板部と平行して延在する第２当接板部とを有し、
隣り合う各ソケット用遮蔽板は前記第１当接板部と第２当接板部とが重ねあわされ互いに接触する方向に付勢されている、
ことを特徴とする請求項１記載の撮像装置。
【請求項８】
隣り合う２つのソケット用遮蔽板のうちの一方のソケット用遮蔽板は、前記側壁に平行して配置され前記側壁を覆う本体板部と、前記本体板部の端部から直角に折り曲げられた第１当接板部とを有し、
隣り合う２つのソケット用遮蔽板のうちの他方のソケット用遮蔽板は、前記側壁に平行して配置され前記側壁を覆う本体板部と、前記本体板部の端部に屈曲部を介して連接され前記ソケット用遮蔽板の厚さ分前記側壁の内面方向に変位し前記本体板部と平行して延在する第２当接板部とを有し、
隣り合う各ソケット用遮蔽板は前記第１当接板部と第２当接板部とが重ねあわされ互いに接触する方向に付勢され、
前記本体板部に取り付け片が一体に形成され、
前記取り付け片は、前記底壁から離れた前記本体板部の上端の箇所から屈曲部を介して前記本体板部から前記側壁の内面方向に離れた箇所で前記底壁方向に延在し、
前記ソケット用遮蔽板の前記側壁への取着は、前記側壁の上端に開口し前記側壁の高さ方向に沿って延在する取り付け用溝に前記取り付け片が挿入され、前記取り付け片と前記本体板部とで前記取り付け片用溝を構成する側壁の部分を挟持することでなされている、
ことを特徴とする請求項１記載の撮像装置。
【請求項９】
前記角部に、前記側壁の高さ方向の全長にわたって延在する凹部が設けられ、
隣り合う２つのソケット用遮蔽板のうちの一方のソケット用遮蔽板は、前記側壁に平行して配置され前記側壁を覆う本体板部と、前記本体板部の端部から直角に折り曲げられ前記側壁と同じ高さの第１当接板部とを有し、
隣り合う２つのソケット用遮蔽板のうちの他方のソケット用遮蔽板は、前記側壁に平行して配置され前記側壁を覆う本体板部と、前記本体板部の端部に屈曲部を介して連接されソケット用遮蔽板の厚さ分前記側壁の内面方向に変位し前記側壁と同じ高さで前記本体板部と平行して延在する第２当接板部とを有し、
隣り合う各ソケット用遮蔽板は、前記凹部内において前記第１当接板部と第２当接板部とがそれらの高さ方向の全長にわたって重ねあわされ互いに接触する方向に付勢されている、
ことを特徴とする請求項１記載の撮像装置。
【発明の詳細な説明】
【技術分野】
【０００１】
本発明は例えば携帯用の電子機器などに組み込まれる撮像装置に関する。
【背景技術】
【０００２】
近年、カメラモジュールが組み込まれた携帯電話機、あるいはＰＤＡ（Ｐｅｒｓｏｎａｌ  Ｄｉｇｉｔａｌ  Ａｓｓｉｓｔａｎｔｓ）などの電子機器が提供されている。
カメラモジュールは、撮影光学系が組み込まれたカメラ本体と、撮影光学系によって導かれた被写体像を撮像する撮像素子と、撮像素子から出力される撮像信号を入力して所定の信号処理を行なう信号処理部と、カメラ本体に取着された基板などを含んで構成されている（特許文献１参照）。
【特許文献１】特開２００５−８６３４１号公報
【発明の開示】
【発明が解決しようとする課題】
【０００３】
ところで、電子機器内に組み込まれたカメラモジュールと、該カメラモジュールに隣接する電子機器を構成する電子部品との間における相互の電磁妨害を防止するためにカメラモジュールの電磁遮蔽を行うことが必要となる。
特に、近年、このようなカメラモジュールは携帯電話機など携帯して使用される小型の電子機器に組み込まれることから、カメラモジュールと隣接する電子部品との距離が短縮化される傾向にあるため、カメラモジュールの電磁遮蔽を効果的に行うことが要求されている。
本発明はこのような事情に鑑みなされたものであり、本発明の目的はカメラモジュールの電磁遮蔽を確実に行う上で有利な撮像装置を提供することにある。
【課題を解決するための手段】
【０００４】
上述の目的を達成するため、本発明の撮像装置は、矩形板状を呈し厚さ方向の一方の面に臨ませて撮影光学系が組み込まれたカメラ本体と、前記撮影光学系によって導かれた被写体像を撮像する撮像素子と、前記撮像素子から出力される撮像信号を入力して所定の信号処理を行なう信号処理部と、前記カメラ本体の厚さ方向の他方の面に取着された基板と、前記基板が前記カメラ本体と反対側に臨む面に形成され前記信号処理部に接続された複数の接片とを含んで構成されるカメラモジュールと、前記カメラモジュールが装着されるソケットとを備える撮像装置であって、前記ソケットは、絶縁性および弾性を有する材料で形成されその内側に前記カメラモジュールが収容される大きさの矩形状の底壁およびこの底壁の４辺から起立する４つの側壁とを有するソケット本体と、前記底壁に設けられ前記複数の接片に接続可能な複数の接続端子とを備え、前記４つの側壁は、それぞれ互いに向かい合う内面と、この内面と反対に位置する外面とを有し、電磁遮蔽性および弾性を有する材料で形成され前記各側壁に取着されて前記４つの側壁の外面を覆う複数のソケット用遮蔽板が設けられ、隣り合う各ソケット用遮蔽板の端部は、前記ソケット本体の隣り合う側壁が交わる角部において重ねあわされそれら各ソケット用遮蔽板が有する弾性により互いに接触する方向に付勢されていることを特徴とする。
【発明の効果】
【０００５】
そのため、本発明によれば、隣り合う各ソケット用遮蔽板の端部が重ねあわされそれら各ソケット用遮蔽板が有する弾性により互いに接触する方向に付勢されるので、ソケット本体の４つの側壁の外面全周が複数のソケット用遮蔽板により覆われるとともに、衝撃や振動を受けた場合にも、それら複数のソケット用遮蔽板が互いに電気的に確実に接続されるため、ソケットに装着されたカメラモジュールの電磁遮蔽を確実に行う上で有利となる。
【発明を実施するための最良の形態】
【０００６】
次に本発明の第１の実施の形態について図面を参照して説明する。
図１（Ａ）、（Ｂ）は本実施の形態に係る撮像装置２０が組み込まれた電子機器の一例を示す外観図である。
図１に示すように電子機器１０は携帯電話機であり、ヒンジ部１２によって揺動可能に連結された第１、第２の筐体１４、１６を有している。
第１の筐体１４の内面には液晶表示パネル１４０２が設けられ、第２の筐体１６の内面にはテンキーや機能キーなどの操作スイッチ１６０２が設けられている。
撮像装置２０は、第１の筐体１４の基端部に組み込まれ、撮像装置２０で撮像した画像は液晶表示パネル１４０２に表示されるように構成されている。
【０００７】
図２は撮像装置２０を構成するカメラモジュール２２とソケット２４の分解斜視図、図３はソケット２４の平面図、図４は基板３０の平面図、図５はカメラモジュール２２、ソケット２４およびカバー２６の分解斜視図、図６は図５のＡＡ線断面図、図７は図５のＢＢ線断面図、図８は図７のＡ部拡大図である。
図２、図５に示すように、撮像装置２０は、カメラモジュール２２と、カメラモジュール２２が装着されるソケット２４と、ソケット２４に装着されるカバー２６とを含んで構成されている。
図２に示すように、カメラモジュール２２は、カメラ本体２８と、撮像素子２９と、不図示の信号処理部と、基板３０と、接片３２（図４参照）とを含んで構成されている。
カメラ本体２８は、長方形板状（矩形板状）を呈し、厚さ方向の一方に位置する上面２８０２と、厚さ方向の他方に位置する下面２８０４と、２つの長辺に沿って位置する２つの長辺側側面２８０６と、２つの短辺に沿って位置する２つの短辺側側面２８０８とを備えている。
カメラ本体２８には被写体像を撮像素子２９（図７参照）に導く撮影光学系３４が組み込まれ、撮影光学系３４はカメラ本体２８の上面２８０２に臨むように配置されている。
本実施の形態では、カメラ本体２８は合成樹脂製で、図２に示すように、上面２８０２および２つの長辺側側面２８０６を覆うようにカメラ本体用遮蔽板２８１０が設けられている。
したがって、本実施の形態では、カメラ本体２８はカメラ本体用遮蔽板２８１０を含んで構成されている。
カメラ本体用遮蔽板２８１０は電磁遮蔽性を有する材料からなる１枚の板材で形成され、カメラ本体用遮蔽板２８１０は、上面２８０２を覆う上面部２８１０Ａと、２つの長辺側側面２８０６を覆う側面部２８１０Ｂとを有している。
カメラ本体用遮蔽板２８１０を構成する電磁遮蔽性を有する材料としては、りん青銅、洋白、ブリキ、銅、あるいは、りん青銅などの銅合金にニッケルなどのめっき処理を行ったもの、あるいは、ステンレス鋼（例えばＳＵＳ３０４）などの導電性を有しかつ磁性を有さない材料を用いることができる。なお、上記電磁遮蔽性を有する材料として磁性体を用いれば、電磁遮蔽効果に加えて磁束シールド効果を奏することができる。
【０００８】
撮像素子２９は、撮影光学系３４によって導かれた被写体像を撮像するものであり、カメラ本体２８の内部で撮影光学系３４の後方の箇所に組み込まれている。
前記信号処理部は、撮像素子２９から出力される撮像信号を入力して所定の信号処理を行なうものである。
【０００９】
基板３０は、図２に示すように、カメラ本体２８の下面２８０４に取着され、長方形状（矩形状）を呈している。
基板３０がカメラ本体２８に臨む上面３００２には、撮像素子２９および前記信号処理部を構成する複数の電子部品３１が実装されている。
図４に示すように、複数の接片３２（接続パッド）は、基板３０がカメラ本体２８と反対側に臨む下面３００４の２つの長辺に沿って並べられて形成されている。
【００１０】
図２に示すように、ソケット２４は、ソケット本体３６と、ソケット用遮蔽板３８と、弾性片４０と、複数の接続端子４２と、係合部６８（図７参照）とを備えている。
ソケット本体３６は絶縁性を有する材料で形成され、本実施の形態では絶縁性を有する合成樹脂で形成されている。
ソケット本体３６は、カメラモジュール２２の基板３０よりも大きい輪郭の長方形状（矩形板状）の底壁３６０２と、底壁３６０２の４辺から起立する４つの側壁３６０４とを有し、底壁３６０２上で４つの側壁３６０４の内側にカメラモジュール２２が収容される大きさで形成されている。
本実施の形態では、４つの側壁３６０４は、底壁３６０２の２つの長辺から起立する２つの長辺側側壁３６０６と、底壁３６０２の２つの短辺から起立する２つの短辺側側壁３６０８とで構成されている。
図２、図３に示すように、底壁３６０２の互いに対向する２つの長辺には、複数の接続端子４２を配置するための複数の切り欠き３６１０がそれら長辺に沿って並べられて形成されている。
複数の接続端子４２は、図３、図６、図７に示すように、この底壁３６０２の切り欠き３６１０に、基板３０の接片３２に接続可能で底壁３６０２の厚さ方向に弾性変形可能に配設されている。
なお、ソケット２４は、電子機器１０に設けられた不図示の基板上に実装され、複数の接続端子４２の基端が前記基板上の接続パッドに半田付けを介して電気的に接続される。
また、図２に示すように、各長辺側側壁３６０６には、弾性片４０を収容するための欠部３６２０が長辺側側壁３６０６の長手方向に沿って延在して設けられ、各短辺側側壁３６０８には、弾性片４０を収容するための欠部３６３０が短辺側側壁３６０８の長手方向に間隔をおいて２つ設けられている。
【００１１】
ソケット用遮蔽板３８は４つ設けられ、ソケット本体３６の４つの側壁３６０４に組み付けられる。
本実施の形態では、ソケット本体３６はソケット用遮蔽板３８を含んで構成されている。
４つの側壁３６０４は互いに向かい合う内面とこの内面と反対に位置する外面とを有し、ソケット用遮蔽板３８はそれぞれ側壁３６０４の外面を覆うように設けられている。
本実施の形態では、ソケット用遮蔽板３８は、２つの長辺側側壁３６０６にそれぞれ組み付けられる２つの長辺側遮蔽板４６と、２つの短辺側側壁３６０８にそれぞれ組み付けられる２つの短辺側遮蔽板４８とを含んでいる。
ソケット用遮蔽板３８は、電磁遮蔽性および弾性を有する材料で形成され、ソケット本体３６の４つの側壁３６０４の外面を覆うことにより、カメラ本体２８の４つの側面（長辺側側面２８０６、短辺側側面２８０８）を覆い、カメラ本体２８の４つの側面を電磁遮蔽するものである。ソケット用遮蔽板３８を形成する電磁遮蔽性および弾性を有する材料としては、りん青銅、洋白、ブリキ、銅、あるいは、りん青銅などの銅合金にニッケルなどのめっき処理を行ったもの、あるいは、ステンレス鋼（例えばＳＵＳ３０４）などの導電性を有しかつ磁性を有さない材料を用いることができる。なお、上記電磁遮蔽性を有する材料として磁性体を用いれば、電磁遮蔽効果に加えて磁束シールド効果を奏することができる。
詳細に説明すると、各ソケット用遮蔽板３８（長辺側遮蔽板４６、短辺側遮蔽板４８）の上縁には、それらの延在方向に間隔をおいて取り付け片３８Ａが屈曲形成され、それら取り付け片３８Ａがソケット本体３６の側壁３６０４（長辺側側壁３６０６、短辺側側壁３６０８）の端面に設けられた取り付け溝３６Ａに挿入されることでソケット用遮蔽板３８が各側壁３６０４（長辺側側壁３６０６、短辺側側壁３６０８）の外面に取り付けられている。
そして、ソケット用遮蔽板３８は電子機器１０の基準電位（グランドレベル）に接続され接地されている。例えば、ソケット用遮蔽板３８の部分が、ソケット２４が実装された電子機器１０の基板上に設けられた基準電位（グランドレベル）の接続パッドに半田付けなどにより接続され接地されている。
【００１２】
弾性片４０は各ソケット用遮蔽板３８と一体に設けられ、各ソケット用遮蔽板３８の延在方向に間隔をおいて２つずつ設けられている。
図２に示すように、弾性片４０は各ソケット用遮蔽板３８に一体に形成され、底壁３６０２から離れたソケット用遮蔽板３８の上端から屈曲部４００１を介して側壁３６０４の内面側で底壁３６０２方向に延在している。
弾性片４０は、各ソケット用遮蔽板３８が取り付け片３８Ａを介してソケット本体３６の側壁３６０６、３６０８に取り付けられた状態で、各側壁３６０６、３６０８の内面の内側に位置するように設けられている。
より詳細には、各長辺側側壁３６０６では、弾性片４０は欠部３６２０に臨むように設けられ、各短辺側側壁３６０８では、弾性片４０は欠部３６３０に臨むように設けられ、弾性片４０は各側壁３６０６、３６０８の厚さ方向に弾性変形可能である。より詳細には、弾性片４０の各側壁３６０６、３６０８の外面方向への弾性変形は、欠部３６２０、３６３０内で行われる。
【００１３】
図６、図７に示すように、弾性片４０の中間部には、ソケット本体３６の内側に突出する屈曲部４００２が設けられ、ソケット本体３６の内側にカメラモジュール２２が収容された状態で、屈曲部４００２がカメラ本体２８の長辺側側面２８０６、短辺側側面２８０８に接触することによって、各側面２８０６、２８０８と各側壁３６０６、３６０８の内面との間に隙間Ｓ１を確保した状態でカメラモジュール２２が弾性支持される。
より詳細には、カメラ本体２８にカメラ本体用遮蔽板２８１０が取着され、カメラ本体２８の長辺側側面２８０６にカメラ本体用遮蔽板２８１０の側面部２８１０Ｂが位置しているため、本実施の形態では、屈曲部４００２がカメラ本体２８の長辺側側面２８０６に直接接触せずにカメラ本体用遮蔽板２８１０の側面部２８１０Ｂに接触し、言い換えると、屈曲部４００２はカメラ本体用遮蔽板２８１０の側面部２８１０Ｂを介してカメラ本体２８の長辺側側面２８０６に間接的に接触している。したがって、本実施の形態では、カメラ本体用遮蔽板２８１０の側面部２８１０Ｂに長辺側遮蔽板４６の弾性片４０が当接することでカメラ本体用遮蔽板２８１０は長辺側遮蔽板４６を介して接地されることになる。
また、図５のＣ矢視図である図９に示すように、各ソケット用遮蔽板３８の延在方向の両端は、ソケット本体３６の４つの角部において互いに重ね合わされ電気的に導通され、これにより４つのソケット用遮蔽板３８によりソケット本体３６の側面の全周全域が電磁遮蔽されている。より詳細に説明すると、例えば、互いに隣り合うソケット用遮蔽板３８の一方の端部に屈曲板部３８１０が形成され、この屈曲板部３８１０が互いに隣り合うソケット用遮蔽板３８の他方の端部３８１１に重ね合わされ、それら屈曲板部３８１０と端部３８１１はソケット用遮蔽板３８が有する弾性により互いに接触する方向に常時付勢されている。
【００１４】
図７に示すように、係合部６８は、カメラモジュール２２が底壁３６０２上で４つの側壁３６０４の内側に収容された際に、カメラモジュール２２の部分に係合しカメラモジュール２２がソケット２４の底壁３６０２から離れる方向への移動を阻止するものであり、カメラモジュール２２が底壁３６０２上で４つの側壁３６０４の内側に収容され、係合部６８がカメラモジュール２２の部分に係合することで、ソケット２４へのカメラモジュール２２の装着状態が形成される。
このカメラモジュール２２の装着状態で、複数の接続端子４２は弾性変形され基板３０の複数の接片３２に電気的に接続すると共にカメラモジュール２２をカメラ本体２８の上面２８０２方向に付勢する。これにより、カメラモジュール２２の基板３０とソケット２４の底壁３６０２との間に隙間Ｓ２を確保した状態で基板３０の接片３２と接続端子４２とが常時確実に接触されることになる。
係合部６８はソケット本体３６に設けられ、本実施の形態では、係合部６８は、短辺側側壁３６０８に取着された遮蔽板３８の弾性片４０の屈曲部４００２により形成され、カメラモジュール２２をソケット２４の内側に挿入した際に、この屈曲部４００２がカメラ本体２８の短辺側側面２８０８の凸部２８２０に係止することで、カメラモジュール２２のソケット２４の底壁３６０２から離れる方向への移動が阻止される。
【００１５】
また、図５、図７に示すように、ソケット本体３６の短辺側側壁３６０８には、カバー２６の部分に当接してカバー２６のカメラ本体２８の上面２８０２方向への変位を阻止するストッパ６２が設けられている。
本実施の形態では、ストッパ６２は、各短辺側遮蔽板４８の外面にその延在方向に間隔をおいて突出形成された２つの係止凸部４８０２によって構成されている。
また、本実施の形態では、図５に示すように、ソケット本体３６の長辺側側壁３６０６には、カバー２６に係脱可能に係合しカメラ本体２８の厚さ方向におけるソケット２４に対するカバー２６の位置決めを行なう位置決め用係合部６４が設けられている。
また、本実施の形態では、位置決め用係合部６４は、２つの長辺側遮蔽板４６の外面に、長辺側遮蔽板４６の延在方向に間隔をおいて形成された２つの係合凹部６４０２によって構成されている。
【００１６】
カバー２６は、電磁遮蔽性および弾性を有する材料で形成されている。電磁遮蔽性および弾性を有する材料としては、りん青銅、洋白、ブリキ、銅、あるいは、りん青銅などの銅合金にニッケルなどのめっき処理を行ったもの、あるいは、ステンレス鋼（例えばＳＵＳ３０４）などの導電性を有しかつ磁性を有さない材料を用いることができる。なお、上記電磁遮蔽性を有する材料として磁性体を用いれば、電磁遮蔽効果に加えて磁束シールド効果を奏することができる。
図５、図７に示すように、カバー２６は、上面部５０と、側面部５２とを備えている。
上面部５０は、カメラ本体２８の上面２８０２を覆うものであり、側面部５２は、４つのソケット用遮蔽板３８を覆うものである。
上面部５０が撮影光学系３４に臨む箇所に開口５００２が形成され、開口５００２に透明なレンズカバー５８が設けられている。
詳細に説明すると、レンズカバー５８は円板状を呈し、円環状の両面粘着テープ５８０２を介して上面部５０の外面に接着されている。
また、上面部５０の内面には、開口５００２の周囲に沿って延在する弾性材料からなる円環状の防塵用部材６０が設けられている。防塵用部材６０は円環状の両面粘着テープ６００２を介して上面部５０の内面に接着されている。防塵用部材６０を構成する弾性材料としては、発泡ポリウレタンなどのスポンジ状の材料を用いることができる。
【００１７】
図５に示すように、側面部５２は、ソケット２４の２つの長辺側遮蔽板４６を覆う長辺側側面部５４と、ソケット２４の２つの短辺側遮蔽板４８を覆う短辺側側面部５６とを備えている。
そして、カバー２６の短辺側側面部５６の下縁が遮蔽板３８の係止凸部４８０２に係止することでカバー２６のカメラ本体２８の上面２８０２方向への変位が阻止される。
また、ソケット２４の係合凹部６４０２に対応するカバー２６の長辺側側面部５４の内側箇所に係合凹部６４０２と係脱する係合凸部５４０２が設けられ、それら係合凸部５４０２が係合凹部６４０２に係合することでカメラ本体２８の厚さ方向におけるカバー２６の位置決めがなされる。
このようにカバー２６の側面部５２とソケット本体３６の側壁３８とに、互いに係脱可能に係合し、カメラ本体２８の厚さ方向におけるソケット２４に対するカバー２６の位置決めを行なう係合凹部６４０２、係合凸部５４０２を設けることで、カバー２６のソケット２４からの脱落を防止する上で有利となり、撮像装置２０を単体で取り扱う際の作業性の向上、あるいは、撮像装置１０を電子機器１０に組み込む際の作業性の向上を図る上で有利となっている。
本実施の形態では、カメラモジュール２２が装着されたソケット２４にカバー２６が装着された状態で係合凸部５４０２と係合凹部６４０２とが係合し、同時に、カバー２６の短辺側側面部５６の下縁が遮蔽板３８の係止凸部４８０２に係止する。
【００１８】
撮像装置２０の組み立ては、電子機器１０の基板に実装されたソケット２４にカメラモジュール２２を装着し、その上からカバー２６をソケット２４に装着することでなされ、これにより撮像装置２０が完成する。
そして、このように構成された撮像装置２０は、図１（Ａ）に示すように、電子機器１０の第１の筐体１４に設けられた開口１４１０に、レンズカバー５８を臨ませた状態で第１の筐体１４内部に組み込まれる。
【００１９】
以上の構成を有すると次のような効果が奏される。
撮像装置２０のカバー２６にレンズカバー５８を設けているため、電子機器１０にレンズカバーを組み付ける必要がなく、電子機器１０の組み立て作業の簡素化を図る上で有利であることは無論のこと、カバー２６がストッパ６２を介してソケット２４に係止されているため、レンズカバー５８にカメラ本体２８の上面２８０２に向かう方向への外力が直接加わったとしても、その外力は、カバー２６、ストッパ６２を介してソケット２４に作用し、カメラモジュール２２には作用しないため、撮像装置２０への外力の影響を緩和する上で有利となる。
そのため、外力がカメラモジュール２２のカメラ本体２８を介して撮像素子２９や基板に加わって、撮像素子２９が変形して撮像された画像が歪んだり、あるいは、基板に実装された電子部品に機械的なストレスが加わることを効果的に防止する上で有利となる。
また、カメラモジュール２２が弾性片４０と接続端子４２によって弾性支持されているため、電子機器１０が物にぶつかったり、あるいは、電子機器１０が床の上に落下するなどして大きな衝撃や振動が電子機器１０に組み込まれた撮像装置２０に作用したとしても、その衝撃や振動は弾性片４０と接続端子４２によって緩和されてカメラモジュール２２に伝わるため、衝撃や振動に対する撮像装置２０の耐久性の向上を図る上で有利となる。
【００２０】
また、本実施の形態では、カメラモジュール２２のカメラ本体用遮蔽板２８１０と、カバー２６の長辺側側面部５４、短辺側側面部５６と、ソケット２４の長辺側遮蔽板４６、短辺側遮蔽板４８とが互いに重ね合わされて接触することで電気的に導通し、カメラ本体用遮蔽板２８１０およびカバー２６がソケット２４のソケット用遮蔽板３８を介して接地される。
したがって、カメラモジュール２２は、互いに重ね合わされたカメラ本体用遮蔽板２８１０と、ソケット用遮蔽板３８と、カバー２６とによって電磁遮蔽されることになり、カメラ本体２８内部の撮像素子２９および信号処理部と、撮像装置２０の近傍に配置された電子機器１０の電子回路との間の電磁遮蔽を確実に行うことができ、カメラ本体２８内部の撮像素子２９および信号処理部と、前記電子回路との双方の電磁輻射を効果的に抑制できる。そのため、電磁輻射による悪影響の防止を図りつつ、撮像装置２０と前記電子回路とを近接して配置することができ、電子機器の小型化、薄型化、コンパクト化を図る上で有利となる。
特に、カメラモジュール２２の内部に設けられた撮像素子２９の後段に接続される信号処理部では高周波クロックを用いていることから高周波クロックノイズの輻射が懸念されるが、その電磁波の輻射を、互いに重なるカメラ本体用遮蔽板２８１０と、ソケット用遮蔽板３８と、カバー２６とを用いて効果的に抑制することができる。
また、カメラモジュール２２の内部に、撮影光学系３４を構成するレンズの一部をフォーカシング動作あるいはズーミング動作のために光軸方向に移動させるためのアクチュエータが組み込まれ、そのアクチュエータが電磁波を輻射するものであっても、その電磁波の輻射を、互いに重なるカメラ本体用遮蔽板２８１０と、ソケット用遮蔽板３８と、カバー２６とを用いて効果的に抑制することができる。
また、電子機器１０が携帯電話機のように、限られたスペースにスピーカー、アンテナ、液晶表示パネル１４０２などの電子部品が高密度に実装されている場合には、それら電子部品とカメラモジュール２２との間における相互の電磁妨害（EMI: Electro Magnetic Interference）が懸念されるが、本実施の形態のようにカメラ本体用遮蔽板２８１０と、ソケット用遮蔽板３８と、カバー２６とを設けることによって電磁妨害を効果的に抑制することができ、携帯電話機のように電子部品が高密度に実装されている電子機器に撮像装置２０を組み込む場合に特に有利となる。
また、本実施の形態では、図７に示すように、カバー２６がソケット２４に装着された状態で、カバー２６の防塵用部材６０がカバー２６の上面部５０とカメラ本体２８の上面２８０２との間の隙間が閉塞されることで撮影光学系３４の前部とレンズカバー５８との間が密閉されており、したがって、カバー２６とカメラ本体２８との間の隙間から撮影光学系３４の前部に対して塵埃や汚れが侵入することを確実に防止することができる。
【００２１】
次に第２の実施の形態について説明する。
第２の実施の形態は、ストッパ６２の構成が第１の実施の形態と異なっており、それ以外の構成は第１の実施の形態と同様である。
図１０は第２の実施の形態の撮像装置２０の断面図である。なお、以下の実施の形態では第１の実施の形態と同様の部分、部材には同一の符号を付して説明する。
第１の実施の形態では、ストッパ６２を各短辺側遮蔽板４８の外面にその延在方向に間隔をおいて突出形成された２つの係止凸部４８０２によって構成したが、第２の実施の形態では、各短辺側遮蔽板４８の上端の屈曲部４００１により構成した点が第１の実施の形態と異なっており、その他の構成は第１の実施の形態と同様である。
第２の実施の形態では、図１０に示すように、カバー２６の短辺側側面部５６に、屈曲部４００１に係止する係止部５６１０が形成され、屈曲部４００１と係止部５６１０が係止することでカバー２６のカメラ本体２８の上面２８０２方向への変位が阻止される。
このような第２の実施の形態においても前記と同様の効果が奏されることは無論である。
【００２２】
なお、以上の構成において、ストッパ６２を、各短辺側遮蔽板４８の外面に突出形成した２つの係止凸部４８０２により構成し、また、ストッパ６２を、各短辺側遮蔽板４８の上端の屈曲部４００１により構成した場合について説明したが、ストッパ６２は、ソケット本体３６の側壁３８の上端で構成するようにしてもよい。
また、ソケット用遮蔽板３８を４つ設けた場合について説明したが、ソケット用遮蔽板３８の数は任意であり、したがって、１つであってもよく、２つであってもよく、あるいは、３つであってもよい。
【００２３】
次に、弾性片４０と弾性変形用欠部３６２０、３６３０について詳細に説明する。
図２に示すように、撮像装置２０では、上述のように、カメラ本体２８の４つの側面（長辺側側面２８０６、短辺側側面２８０８）に弾接し、複数の接片３２と複数の接続端子４２とを接続した状態で４つの側壁３６０４との間に隙間Ｓ１を確保してカメラモジュール２２を底壁３６０２上で４つの側壁３６０４の内側に弾性支持する弾性片４０が各側壁３６０４にそれぞれ設けられている。
弾性片４０は、該弾性片４０が設けられた側壁３６０４の厚さ方向に弾性変形可能に設けられている。
そして、弾性片４０に対応する各側壁３６０４の箇所に、弾性片４０が弾性変形を行うための弾性変形用欠部３６２０、３６３０が形成されている。
本実施の形態では、弾性変形用欠部３６２０、３６３０は、側壁３６０４の厚さ方向に貫通形成されている。
【００２４】
また、本実施の形態では、図２に示すように、弾性片４０は、各側壁３６０４の延在方向に間隔をおいた２箇所に弾接するように２つ設けられている。
そして、短辺側側壁３６０８に設けられた弾性変形用欠部３６３０は、それら２つの弾性片４０に対応した側壁３６０４の２箇所にそれぞれ設けられている。
また、長辺側側壁３６０６に設けられた弾性変形用欠部３６２０は、それら２つの弾性片４０が弾性変形できる大きさの単一の欠部で構成されている。
それら弾性変形用欠部３６２０、３６３０は、側壁３６０４の厚さ方向に貫通し底壁３６０２から離れた側壁３６０４の上端に開放状に形成されている。
【００２５】
撮像装置２０では、上述のように、電磁遮蔽性および弾性を有する材料で形成され４つの側壁３６０４を覆うソケット用遮蔽板３８が設けられ、ソケット用遮蔽板３８は各側壁３６０４に取着されて配設され、弾性片４０はソケット用遮蔽板３８に一体に形成されている。
４つの側壁３６０４は、それぞれ互いに向かい合う内面と、この内面と反対に位置する外面とを有し、ソケット用遮蔽板３８は、図２に示すように、各側壁３６０４に取着されて配設され各側壁３６０４の外面を覆う本体板部３８２０を有している。
弾性片４０は本体板部３８２０に一体に形成されている。
弾性片４０は、図２に示すように、底壁３６０２から離れた本体板部３８２０の上端から第１の屈曲部４００１を介して本体板部３８２０から側壁３６０４の内面方向に離れた箇所で底壁３６０２方向に延在している。
また、本体板部３８２０に取り付け片３８Ａが一体に形成されている。
取り付け片３８Ａは、底壁３６０２から離れた本体板部３８２０の上端の箇所で第１の屈曲部４００１と離れた箇所から第２の屈曲部３８０１を介して本体板部３８２０から側壁３６０４の内面方向に離れた箇所で底壁３６０２方向に延在している。
ソケット用遮蔽板３８の側壁３６０４への取着は、側壁３６０４の上端に開口し側壁３６０４の高さ方向に沿って延在する取り付け溝３６Ａに取り付け片３８Ａが挿入され、取り付け片３８Ａと本体板部３８２０とで取り付け溝３６Ａを構成する側壁３６０４の部分を挟持することでなされている。
また、長辺側側壁３６０６に設けられた単一の欠部をなす弾性変形用欠部３６２０に対応する箇所では、底壁３６０２から離れた本体板部３８２０の上端から第３の屈曲部３８０２を介して本体板部３８２０から側壁３６０４の内面方向に離れた箇所で底壁３６０２方向に延在し弾性変形用欠部３６２０（単一の欠部）を覆う折り返し片３８０３が設けられ、折り返し片３８０３と本体板部３８２０とにより電磁遮蔽性が高められている。
そして、長辺側側壁３６０６に設けられる２つの弾性片４０は、２つの第１の屈曲部４００１とともに、折り返し片３８０３に切り欠き３８０４を介して形成されている。
【００２６】
以上の構成を有すると次のような効果が奏される。
カメラモジュール２２は弾性片４０により側壁３６０４との間に隙間Ｓ１を確保した状態で底壁３６０２上で弾性支持されているため、側方から電子機器１０に、あるいは、側方から撮像装置２０に大きな衝撃や振動が作用したとしても、その衝撃や振動は弾性片４０により緩和される。
そして、弾性片４０は側壁３６０４の厚さ方向に弾性変形可能で、側壁３６０４に弾性片４０が弾性変形を行うための弾性変形用欠部３６２０、３６３０が形成されているので、撮像装置２０を大型化することなく弾性片４０の弾性ストロークを大きく確保できる。
したがって、撮像装置２０の小型化を図りつつ弾性片４０によりカメラモジュール２２を確実に弾性支持する上で有利となり、衝撃や振動に対するカメラモジュール２２および撮像装置２０の耐久性の向上を図る上で有利となる。
【００２７】
また、弾性変形用欠部３６２０、３６３０は側壁３６０４の厚さ方向に貫通形成されているので、撮像装置２０を大型化することなく弾性片４０の弾性ストロークを大きく確保する上で有利となり、したがって、撮像装置２０の小型化を図りつつ弾性片４０によりカメラモジュール２２を確実に弾性支持する上で有利となり、衝撃や振動に対するカメラモジュール２２および撮像装置２０の耐久性の向上を図る上で有利となる。
また、弾性変形用欠部３６２０、３６３０は、側壁３６０４から離れた側壁３６０４の上端に開放状に形成されているので、ソケット本体３６を型成形する場合に、ソケット本体３６を簡単に安価に製造でき、したがって、カメラモジュール２２および撮像装置２０のコストダウンを図る上で有利となる。
【００２８】
また、ソケット用遮蔽板３８を利用し、弾性片４０をソケット用遮蔽板３８に一体に形成するようにしたので、ソケット用遮蔽板３８とは別に弾性片４０を設ける場合に比べ、カメラモジュール２２および撮像装置２０の部品点数を削減しコストダウンを図る上で有利となる。
また、ソケット用遮蔽板３８を利用し、弾性片４０をソケット用遮蔽板３８に一体に形成するとともに、取り付け片３８Ａをソケット用遮蔽板３８に一体に形成し、この取り付け片３８Ａを取り付け溝３６Ａに挿入することでソケット用遮蔽板３８が側壁３６０４に取着されるので、弾性片４０およびソケット用遮蔽板３８の組み付けを簡単に行え、カメラモジュール２２および撮像装置２０のコストダウンを図る上で有利となる。
また、本実施の形態では、図６、図７に示すように、弾性片４０が位置する箇所では、弾性片４０がカメラモジュール２２を弾性支持する部材として機能とするとともに、カメラモジュール２２を電磁遮蔽する部材としても機能するため、弾性片４０が位置する箇所では、弾性片４０と本体板部３８２０とにより電磁遮蔽が２重に行われ、したがって、カメラモジュール２２を電磁遮蔽する上で有利となっている。
【００２９】
次に本発明の要部について説明する。
上述のように撮像装置２０では、図２に示すように、４つの側壁３６０４は、それぞれ互いに向かい合う内面と、この内面と反対に位置する外面とを有し、電磁遮蔽性および弾性を有する材料で形成され各側壁３６０４に取着されて４つの側壁３６０４の外面を覆う複数のソケット用遮蔽板３８が設けられ、それらソケット用遮蔽板３８は、取り付け片３８Ａを取り付け溝３６Ａに挿入することで側壁３６０４に取着されるように構成されている。
そして、図９に示すように、隣り合う各ソケット用遮蔽板３８の端部３８１０、３８１１は、ソケット本体３６の隣り合う側壁３６０４が交わる角部３６５０において重ねあわされそれら各ソケット用遮蔽板３８が有する弾性により互いに接触する方向に付勢されている。
図２乃至図９に示す実施の形態では、ソケット用遮蔽板３８は、４つの側壁３６０４に対応して４つ設けられ、隣り合う各ソケット用遮蔽板３８の端部３８１０、３８１１は、４つの角部３６５０においてそれぞれ重ねあわされそれら各ソケット用遮蔽板３８が有する弾性により互いに接触する方向に付勢されている。
また、図１１に示す実施の形態では、ソケット用遮蔽板３８は、４つの側壁３６０４のうちの隣り合う２つの側壁３６０４を覆うように２つ設けられ、隣り合う各ソケット用遮蔽板３８の端部３８１０、３８１１は、２つの角部３６５０においてそれぞれ重ねあわされそれら各ソケット用遮蔽板３８が有する弾性により互いに接触する方向に付勢されている。
【００３０】
本実施の形態では、隣り合う各ソケット用遮蔽板３８の端部３８１０、３８１１は、側壁３６０４と同じ高さを有している。
そして、図２、図９、図１１に示すように、角部３６５０に、側壁３６０４の高さ方向の全長にわたって延在する凹部３６６０が設けられている。
隣り合う各ソケット用遮蔽板３８の端部３８１０、３８１１は、凹部３６６０内においてそれらの高さ方向の全長にわたって重ねあわされ互いに接触する方向に付勢されている。
隣り合う各ソケット用遮蔽板３８の端部３８１０、３８１１について詳細に説明すると、図９に示すように、一方の端部３８１０は、側壁３６０４に平行して配置され側壁３６０４を覆う本体板部３８２０の端部から直角に折り曲げられた第１当接板部３８１０として形成されている。第１当接部３８１０は、側壁３６０４と同じ高さを有している。
他方の端部３８１１は、本体板部３８２０の端部に屈曲部３８１５を介して連接されソケット用遮蔽板３８の厚さ分側壁３６０４の内面方向に変位し本体板部３８２０と平行して延在する第２当接板部３８１１として形成されている。第２当接板部３８１１は、側壁３６０４と同じ高さを有している。
隣り合う各ソケット用遮蔽板３８はこのような第１当接板部３８１０と第２当接板部３８１１とが重ねあわされそれらの高さ方向の全長にわたって互いに接触する方向に付勢されている。
【００３１】
本実施の形態によれば、隣り合う各ソケット用遮蔽板３８の第１当接板部３８１０と第２当接板部３８１１とが重ねあわされそれら各ソケット用遮蔽板３８が有する弾性により互いに接触する方向に付勢されているので、ソケット本体３６の４つの側壁３６０４の外面全周が複数のソケット用遮蔽板３８により覆われるとともに、衝撃や振動を受けた場合にも、それら複数のソケット用遮蔽板３８が互いに電気的に確実に接続されるため、ソケット２４に装着されたカメラモジュール２２の電磁遮蔽を確実に行う上で有利となる。
また、本実施の形態では、第１当接板部３８１０と第２当接板部３８１１とがソケット本体３６の隣り合う側壁３６０４が交わる角部３６５０で重ねあわされるため、各ソケット用遮蔽板３８が有する弾性によって第１当接板部３８１０と第２当接板部３８１１との間で発生する接触圧を大きく確保する上で有利となり、隣り合うソケット用遮蔽板３８の電気的に接続する上でより有利となる。
また、本実施の形態では、第１当接板部３８１０と第２当接板部３８１１とをそれらの高さ方向の全長にわたって接触させかつ接触する方向に付勢するので、特に衝撃や振動を受けた場合にも、それら複数のソケット用遮蔽板３８を電気的に確実に接続する上で有利となり、カメラモジュール２２の電磁遮蔽を確実に行う上で有利となる。特に、本実施の形態では、第１当接板部３８１０と第２当接板部３８１１とを側壁３６０４と同じ高さの大きな寸法で形成しそれらの高さ方向の全長にわたって接触させかつ接触する方向に付勢するので、衝撃や振動を受けた場合にも、カメラモジュール２２の電磁遮蔽を確実に行う上で有利となる。
【００３２】
また、本実施の形態では、第１当接板部３８１０と第２当接板部３８１１との重ねあわせを凹部３６６０内で行うので、第１当接板部３８１０と第２当接板部３８１１とが重ねあわされた部分がソケット２４の外側に大きく膨出するなどの不具合を防止でき、撮像装置２０のコンパクト化を図る上で有利となる。
また、本実施の形態では、図９に示すように、本体板部３８２０の端部に屈曲部３８１５を介して連接されソケット用遮蔽板３８の厚さ分側壁３６０４の内面方向に変位し本体板部３８２０と平行して延在する第２当接板部３８１１に第１当接板部３８１０を重ねあわせ、この重ねあわせを凹部３６６０内で行うので、第１当接板部３８１０とこの第１当接板部３８１０が重ねあわされる本体板部３８２０とは同一平面上を延在することになり、平面視した際、４つのソケット用遮蔽板３８により突起のない矩形の輪郭が形成され、したがって、撮像装置２０のコンパクト化を図る上で有利となる。
また、本実施の形態では、ソケット用遮蔽板３８の取り付け片３８Ａをソケット本体３６の取り付け溝３６Ａに挿入してソケット用遮蔽板３８を側壁３６０４に取着する際、ソケット用遮蔽板３８の変位に追従して第１当接板部３８１０と第２当接板部３８１１とが互いに圧接しつつスライドするので、第１当接板部３８１０と第２当接板部３８１１との重ねあわせを容易に行え、組み付けを簡単に行いコストダウンを図る上で有利となる。
【００３３】
なお、本実施の形態では、撮像装置２０が組み込まれる電子機器１０が携帯電話機である場合について説明したが、本発明の撮像装置は、例えば、ＰＤＡ、ノート型パーソナルコンピュータなどの携帯情報端末、あるいは、デジタルスチルカメラ、ビデオカメラなどの種々の電子機器に広く適用可能である。
【図面の簡単な説明】
【００３４】
【図１】（Ａ）、（Ｂ）は本実施の形態に係る撮像装置２０が組み込まれた電子機器の一例を示す外観図である。
【図２】撮像装置２０を構成するカメラモジュール２２とソケット２４の分解斜視図である。
【図３】ソケット２４の平面図である。
【図４】基板３０の平面図である。
【図５】カメラモジュール２２、ソケット２４およびカバー２６の分解斜視図である。
【図６】図５のＡＡ線断面図である。
【図７】図５のＢＢ線断面図である。
【図８】図７のＡ部拡大図である。
【図９】図５のＣ矢視図である。
【図１０】第２の実施の形態の撮像装置２０の断面図である。
【図１１】他の実施の形態の撮像装置２０を構成するカメラモジュール２２とソケット２４の分解斜視図である。
【符号の説明】
【００３５】
１０……電子機器、２０……撮像装置、２２……カメラモジュール、２４……ソケット、２６……カバー、２８……カメラ本体、２９……撮像素子、３０……基板、３２……接片、３４……撮影光学系、３６……ソケット本体、３６０２……底壁、３６０４……側壁、３６２０、３６３０……弾性変形用欠部、３６５０……角部、３８……ソケット用遮蔽板、３８１０、３８１１……端部、４０……弾性片、４２……接続端子、５０……上面部、５００２……開口、５８……レンズカバー、５４……側面部、６２……ストッパ、６８……係合部。
【図１】
2008113059.tif 000003
【図２】
2008113059.tif 000004
【図３】
2008113059.tif 000005
【図４】
2008113059.tif 000006
【図５】
2008113059.tif 000007
【図６】
2008113059.tif 000008
【図７】
2008113059.tif 000009
【図８】
2008113059.tif 000010
【図９】
2008113059.tif 000011
【図１０】
2008113059.tif 000012
【図１１】
2008113059.tif 000013